(57)【要約】【課題】  本発明は、ユーザの使用状況に応じた香りの発生ができる電子機器装置を提供することを目的とする。【解決手段】  本発明の電子機器装置は、情報入力手段を備えた装置であって、装置内に、芳香剤を、装置外部に放出する芳香剤放出手段と、制御手段とを備え、情報入力手段による情報の入力状態に応じて制御するように構成した。【選択図】  図１
2006106824.tif 000002
【特許請求の範囲】
【請求項１】
情報入力手段を備えた電子機器装置であって、
前記電子機器装置内に、
芳香剤を収納可能な芳香剤収納手段と、
前記芳香剤収納手段に熱を与える加熱手段と、
前記加熱手段による加熱で前記芳香剤収納部から発生する芳香剤を、前記電子機器装置外部に放出する芳香剤放出手段と、
前記芳香剤放出手段を制御する制御手段と
を備え、
前記制御手段を、前記情報入力手段による情報の入力状態に応じて制御するように構成したことを特徴とする電子機器装置。
【請求項２】
前記制御手段を、前記情報入力手段からの前記情報の入力が所定時間行われない場合に、前記芳香剤を前記電子機器装置外部に放出するように構成したことを特徴とする請求項１記載の電子機器装置。
【請求項３】
前記制御手段を、前記情報入力手段からの前記情報の入力が所定の頻度以上で行われた場合に、前記芳香剤を前記電子機器装置外部に放出するように構成したことを特徴とする請求項１記載の電子機器装置。
【請求項４】
外部から制御可能な電子機器装置であって、
前記電子機器装置内に、
芳香剤を収納可能な芳香剤収納手段と、
前記芳香剤収納手段に熱を与える加熱手段と、
前記加熱手段による加熱で前記芳香剤収納部から発生する芳香剤を、前記電子機器装置外部に放出する芳香剤放出手段と、
前記芳香剤放出手段を制御する制御手段と
前記制御手段への指示を前記外部から受信する受信手段と
を備えたことを特徴とする電子機器装置。
【請求項５】
前記外部からの指示は、前記電子機器装置とは別体の情報入力手段からによるものであって、
前記制御手段を、前記受信手段を介して、前記情報入力手段による情報の入力状態に応じて制御するように構成したことを特徴とする請求項４記載の電子機器装置。
【発明の詳細な説明】
【技術分野】
【０００１】
本発明は、香りを発生することができるパーソナルコンピュータ等の電子機器装置に関する。
【背景技術】
【０００２】
従来、電子機器装置内部に実装された電子部品から発生する熱を利用して、芳香物質を蒸発させ、外部に放出できる電子機器装置が知られている。
【特許文献１】特開2003-15771号公報
【発明の開示】
【発明が解決しようとする課題】
【０００３】
しかしながら、従来の装置においては、ユーザの使用状況に応じて香りを発生するタイミングについては言及されておらず、ユーザの使用状況に応じた香りの発生ができないという問題点があった。
【０００４】
本発明は、上記に対応した電子機器装置を提供することを目的とする。
【課題を解決するための手段】
【０００５】
上記目的を達成するために、本発明の電子機器装置は、情報入力手段を備えた電子機器装置であって、
前記電子機器装置内に、
芳香剤を収納可能な芳香剤収納手段と、
前記芳香剤収納手段に熱を与える加熱手段と、
前記加熱手段による加熱で前記芳香剤収納部から発生する芳香剤を、前記電子機器装置外部に放出する芳香剤放出手段と、
前記芳香剤放出手段を制御する制御手段と
を備え、
前記制御手段を、前記情報入力手段による情報の入力状態に応じて制御するように構成したことを特徴とする。
【０００６】
そして、情報入力部の情報の入力状態に応じて芳香剤の放出タイミング，量を制御するため、ユーザの使用状況に応じた香りの発生が可能となる。
【０００７】
また、前記制御手段を、前記情報入力手段からの前記情報の入力が所定時間行われない場合に、前記芳香剤を前記電子機器装置外部に放出するように構成したことを特徴とする。
【０００８】
そして、ユーザの眠気からの覚醒及びリフレッシュを図ることができる。
【０００９】
また、前記制御手段を、前記情報入力手段からの前記情報の入力が所定の頻度以上で行われた場合に、前記芳香剤を前記電子機器装置外部に放出するように構成したことを特徴とする。
【００１０】
そして、ユーザのリフレッシュを図ることができる。
【００１１】
また、本発明の電子機器装置は、外部から制御可能な電子機器装置であって、
前記電子機器装置内に、
芳香剤を収納可能な芳香剤収納手段と、
前記芳香剤収納手段に熱を与える加熱手段と、
前記加熱手段による加熱で前記芳香剤収納部から発生する芳香剤を、前記電子機器装置外部に放出する芳香剤放出手段と、
前記芳香剤放出手段を制御する制御手段と
前記制御手段への指示を前記外部から受信する受信手段と
を備えたことを特徴とする。
【００１２】
そして、電子機器装置を外部から制御することにより、装置自体を小型化することができる。
【００１３】
また、前記外部からの指示は、前記電子機器装置とは別体の情報入力手段からによるものであって、
前記制御手段を、前記受信手段を介して、前記情報入力手段による情報の入力状態に応じて制御するように構成したことを特徴とする。
【発明の効果】
【００１４】
本発明によれば、ユーザの使用状況に応じて香りを発生することができる。
【発明を実施するための最良の形態】
【００１５】
以下、図面を参照して本発明の実施の形態を説明する。
【００１６】
図１は、本発明の一実施の形態による電子機器装置(パーソナルコンピュータ)の概略構成図を示す。
【００１７】
図１において、パーソナルコンピュータ100は、大きく分けて、外部情報入力部(例えば、キーボード，マウス)1，CPU2，パーソナルコンピュータ全体を制御する制御部3，香りを発生するための芳香部4(図面において、2点鎖線で囲まれた部分)からなる。
【００１８】
CPU2は動作させることにより、多くの熱を発生するため、CPU2上部には放熱板21が設けられるとともに、放熱板21からの熱をパーソナルコンピュータ100の外部に放出するために、ヒートパイプ22，ヒートシンク23，放熱ファン24を設け、これらにより該熱を排気口25より排出する。
【００１９】
芳香部4は、芳香剤収納部41，吸気口42，芳香口43を備えるとともに、弁440，441，442を備えている。弁440，441，442は制御部3により制御される。芳香剤収納部41には、CPU2，放熱板21，ヒートパイプ22，ヒートシンク23からの熱が伝わり、該熱により芳香剤収納部41より芳香剤が発生する構造となっている。発生した芳香剤は、上記放熱ファン24とともに、弁440，441，442により芳香口43から出るタイミング，量が制御される。
【００２０】
図２は、芳香剤を芳香口43から発生させるための制御を示す第1のフローチャートである。図２では、外部情報入力部1の1つであるキーボードからユーザの入力が一定時間ない場合に、ユーザの眠気からの覚醒及びリフレッシュを目的として香りを発生させる場合を想定している。
【００２１】
パーソナルコンピュータ100に上記設定がなされている場合、まず経過時間をチェックするカウンタを0にセットし(ステップS21)、キーボードからの入力の有無をチェックする(ステップS22)。ステップS22において、入力がない場合、カウンタtの値と香り発生設定値t1とを比較し(ステップS23)、香り発生設定値に達していない場合は、カウントアップ(ステップS24)し、再度キーボードからの入力の有無をチェックする。なお、香り発生設定値t1は、パーソナルコンピュータの製造メーカがあらかじめ設定しておいてもよい(例えば、5分)し、ユーザが任意の間隔に設定可能にしてもよい。ステップS22において、キーボードからのユーザの入力がなく、t=t1になった場合、香り発生を行う(ステップS25)。これは、制御部3より、弁440，441，442を開放するとともに、放熱ファン24の出力を所定量アップするように指示することにより、芳香口43から芳香剤収納部41の芳香剤がパーソナルコンピュータ100外に放出される。なお、弁442の開口の幅を調整することにより、芳香剤の発生量をコントロールする以外に、弁441の開口の幅や放熱ファン24の出力全てを制御することにより、発生量を細かくコントロールしてもよい。また弁440，441，442を一定時間開閉を繰り返えしてもよい。香り発生後、キーボードの入力チェックを継続するか否かをユーザに確認し(ステップS26)、継続する場合にはステップS21に戻る。また継続しないとした場合には、処理を終了する。なお、ステップS26の継続のチェックは行わずに、一定時間香りを発生した後は自動的にステップS21に戻るように制御部3を設定してもよいし、複数回(例えば、3回)香りを発生したら処理を終了するように設定してもよい。さらに、キーボードの入力の有無のチェックの代わりに、ユーザのまぶたを画像認識し、該認識の結果、まぶたを閉じていると判断した場合に香りを発生するように制御してもよい。
【００２２】
図３は、芳香剤を芳香口43から発生させるための制御を示す第2のフローチャートである。図３は、外部情報入力部1の1つであるキーボードからユーザの入力が一定の頻度以上で続いた場合に、ユーザのリフレッシュを目的として香りを発生させる場合を想定している。
【００２３】
パーソナルコンピュータ100に上記設定がなされている場合、まず経過時間をチェックするカウンタを0にセットし(ステップS31)、キーボードからの入力の有無をチェックする(ステップS32)。ステップS32において、キーボードからの入力が続いている場合、カウンタtの値と香り発生設定値t2とを比較し(ステップS33)、香り発生設定値に達していない場合は、カウントアップ(ステップS34)し、再度キーボードからの入力の有無をチェックする。なお、香り発生設定値t2は、上記t1同様に設定してもよい。ステップS32において、キーボードからのユーザの入力が続き、t=t2になった場合、香り発生を行う(ステップS35)。この場合の制御部3の指示及び弁440，441，442，放熱ファン24の動きは上記と同様である。香り発生後、上記と同様にキーボードの入力チェックを継続するか否かをユーザに確認し(ステップS36)、継続する場合にはステップS31に戻る。また継続しないとした場合には、処理を終了する。
【００２４】
図４は、第2の実施形態を示す。図４は、図１の変形例で、香りを発生する部分をパーソナルコンピュータから独立させた装置の概略構成図を示す。
【００２５】
図４において、パーソナルコンピュータ200とは別体で構成された端末300を備え、端末300内に芳香剤の発生する構成を持っている。パーソナルコンピュータ200と端末300とは無線等により接続されており、端末300は、パーソナルコンピュータ200からの制御信号により制御される。なお、図１と同じ構成については、同一の符号を付し、詳細な説明は省略する。また、端末300の制御部303，芳香剤収納部344，吸気口342，放熱ファン324，芳香口343，弁340，341は、図１の構成と同様の構成，動作であるため、詳細な説明は省略する。
【００２６】
図４において、外部情報入力部1からの所定の入力がなされると、これの指示は制御部203を介して通信部250から無線により端末300の受信部301に送信される。
【００２７】
図４では、図１とは異なり、CPU2等の熱を発生する部分がないため、代わりに熱発生器320を搭載する。香りを発生するように、パーソナルコンピュータ200の通信部250からの指示を端末300の受信部301が受信すると、制御部303より熱発生器320に対して加熱の指示がなされ、熱発生器320からの熱により芳香剤収納部344より芳香剤が発生する。なお、芳香剤を発生させるタイミング，制御は上記図３，図４に準ずる。
【図面の簡単な説明】
【００２８】
【図１】本発明の一実施の形態による電子機器装置の概略構成図。
【図２】同実施の形態に係る芳香剤を芳香口から発生させるための制御を示す第1のフローチャート。
【図３】同実施の形態に係る芳香剤を芳香口から発生させるための制御を示す第2のフローチャート。
【図４】本発明の第2の実施形態による電子機器装置の概略構成図。
【符号の説明】
【００２９】
1  外部情報入力部
2  CPU
3，203，303  制御部
4  芳香部
21  放熱板
22  ヒートパイプ
23  ヒートシンク
24，324  放熱ファン
25  排気口
41，344  芳香剤収納部
42，342  吸気口
43，343  芳香口
100，200  パーソナルコンピュータ
250  通信部
300  端末
301  受信部
320  熱発生器
340，341，440，441，442  弁
【図１】
2006106824.tif 000003
【図２】
2006106824.tif 000004
【図３】
2006106824.tif 000005
【図４】
2006106824.tif 000006